(57)【要約】【課題】  寸法の異なる電池をそれぞれ収納可能としたレンズ付きフイルムユニットをローコストに提供する。【解決手段】  レンズ付きフイルムユニット１２は、本体基部２９に露光ユニット２６、ストロボユニット２７などを組み付け、前カバー３０及び後カバー３１を取り付けて構成する。本体基部２９には、保持突起部３５，３６が一体に形成されている。ストロボユニット２７には、正極接片４８及び負極接片４９が接続されている。レンズ付きフイルムユニット１２に軸長の短い電池６６を収納するときには、接続部材７０を介して正極接片４８及び負極接片４９の間に電池６６を挟み込み、保持突起部３５，３６の間に電池６６を保持する。【選択図】        図６
2005099385.tif 000002
【特許請求の範囲】
【請求項１】
パトローネ室、フイルムロール室、前記パトローネ室と前記フイルムロール室との間に位置するアパーチャ、及び前記パトローネ室と前記フイルムロール室との間で且つ前記アパーチャの下部に位置する２つの保持突起部からなる本体基部と、発光回路、この発光回路に給電するための給電回路、及び前記発光回路により発光される発光部を回路基板に実装して一体に設けたストロボユニットと、このストロボユニットの電源となる電源電池と、前記給電回路と前記電源電池とを電気的に接続する一対の電極接片とからなるレンズ付きフイルムユニットにおいて、
前記電源電池として、円柱型の第１の電池、及び円柱型で前記第１の電池よりも軸長の短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、前記電極接片のうちの一方と前記第２の電池の一端との隙間を埋め、且つ導電性を有する接続部材を設け、この接続部材を介して前記第２の電池を前記一対の電極接片で挟持しつつ、前記第２の電池を前記保持突起部の間に保持して前記本体基部に固定することを特徴とするレンズ付きフイルムユニット。
【請求項２】
前記接続部材として弾性力を有する部材を使用することを特徴とする請求項１記載のレンズ付きフイルムユニット
【請求項３】
パトローネ室、フイルムロール室、前記パトローネ室と前記フイルムロール室との間に位置するアパーチャ、及び前記パトローネ室と前記フイルムロール室との間で且つ前記アパーチャの下部に位置する２つの保持突起部からなる本体基部と、発光回路、この発光回路に給電するための給電回路、及び前記発光回路により発光される発光部を回路基板に実装して一体に設けたストロボユニットと、このストロボユニットの電源となる電源電池と、前記給電回路と前記電源電池とを電気的に接続する一対の電極接片とからなるレンズ付きフイルムユニットにおいて、
前記電源電池として、円柱型の第１の電池、及び円柱型で前記第１の電池よりも軸長の短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、前記第２の電池の一方の電極と当接し、且つ前記ストロボユニットと電気的に接続される電極接点部材と、前記保持突起部のうちの一方と前記電極接点部材との隙間を埋めるスペーサとを設け、前記スペーサと前記一方の電極との間に前記電極接点部材を挟持し、且つ他方の電極と前記電極接片の一方とを当接させつつ、前記第２の電池及び前記スペーサを前記保持突起部の間に保持して前記本体基部に固定することを特徴とするレンズ付きフイルムユニット。
【請求項４】
パトローネ室、フイルムロール室、前記パトローネ室と前記フイルムロール室との間に位置するアパーチャ、及び前記パトローネ室と前記フイルムロール室との間で且つ前記アパーチャの下部に位置する２つの保持突起部からなる本体基部と、発光回路、この発光回路に給電するための給電回路、及び前記発光回路により発光される発光部を回路基板に実装して一体に設けたストロボユニットと、このストロボユニットの電源となる電源電池と、前記給電回路と前記電源電池とを電気的に接続する一対の電極接片とからなるレンズ付きフイルムユニットにおいて、
前記電源電池として、円柱型の第１の電池、及び円柱型で前記第１の電池よりも軸長が短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、第２の電池の一端側に設けられた負極と前記電極接片の一方とを当接させるとともに、第２の電池の他端から連続する円柱面に設けられた正極と前記電極接片の他方とを、前記第２の電池の表面に形成された被覆を剥がしながら溶接して前記第２の電池を前記電極接片に固着しつつ、前記第２の電池を前記保持突起部の間に保持して前記本体基部に固定することを特徴とするレンズ付きフイルムユニット。
【発明の詳細な説明】
【技術分野】
【０００１】
本発明は、異なる２種類の電池をそれぞれ収納するレンズ付きフイルムユニットに関するものである。
【背景技術】
【０００２】
予め写真フイルムが装填された１回使用型の簡易型カメラとして、レンズ付きフイルムユニットが知られている。従来、レンズ付きフイルムユニットには、単３、単４型規格の乾電池が内蔵されることが一般的である。この単３，４型規格の乾電池は主に、レンズ付きフイルムユニットに組み込まれたストロボ装置の電源として用いられる。また、近年では、環境負荷の低減を図るために、ストロボ回路の省電力設計も進み、容量の大きい単３型から、より小さい単４型電池又はさらに小型の電池への切り替えが考えられており、このような小型の電池を使用することで、ＣＯ2 排出量の低減を図ることが望まれている。
【０００３】
上述したようにレンズ付きフイルムユニットに内蔵される乾電池は、レンズ付きフイルムユニットを構成する他の部品群と比較しても、寸法、重量ともに大きく、レンズ付きフイルムユニットの小型化を図るためには、乾電池の配置に様々な工夫を施すことが必要だった。
【０００４】
そこで、特許文献１では、レンズ付きフイルムユニットのユニット本体の構成が、撮影レンズなどを保持する鏡胴部、パトローネを収納するパトローネ室、及びフイルムを巻き取っておくスクロール室とからなり、鏡胴部とパトローネ室との間隙に乾電池を配置するとともに、この乾電池の反対側、すなわち鏡胴部とスクロール室との間隙に、ストロボ用のメインコンデンサを配置することによって部品配置の効率を向上し、レンズ付きフイルムユニットの小型化を図ろうとしている。
【０００５】
【特許文献１】特開平１０−２５４０３３号公報
【発明の開示】
【発明が解決しようとする課題】
【０００６】
上述したように、最近では、より小型の電池を使用することが強く望まれており、単３型よりも小さい単４型電池、又は従来規格とは異なる寸法の小型乾電池をレンズ付きフイルムユニット用の電池として使用することで、環境負荷の低減や、レンズ付きフイルムユニット内部の部品配置の効率を向上して小型化を図ることが考えられている。
【０００７】
しかしながら、レンズ付きフイルムユニットには、さまざまな種類があり、機種によっては、従来通り、単３型電池を使用したいという要望もあり、小型の電池に合わせたレンズ付きフイルムユニットの構成部品を、樹脂成形などによって新たに形成することになると、コストが大幅に増加し、レンズ付きフイルムユニットのローコスト化を妨げることになる。
【０００８】
本発明は上記課題を解決するためになされたものであり、共通の構成部品を使用しつつ、寸法の異なる２種類の電池をそれぞれ収納可能とするレンズ付きフイルムユニットをローコストに提供することを目的とするものである。
【課題を解決するための手段】
【０００９】
前記目的を達成するために、本発明のレンズ付きフイルムユニットでは、  パトローネ室、フイルムロール室、前記パトローネ室と前記フイルムロール室との間に位置するアパーチャ、及び前記パトローネ室と前記フイルムロール室との間で且つ前記アパーチャの下部に位置する２つの保持突起部からなる本体基部と、発光回路、この発光回路に給電するための給電回路、及び前記発光回路により発光される発光部を回路基板に実装して一体に設けたストロボユニットと、このストロボユニットの電源となる電源電池と、前記給電回路と前記電源電池とを電気的に接続する一対の電極接片とからなるレンズ付きフイルムユニットにおいて、前記電源電池として、円柱型の第１の電池、及び円柱型で前記第１の電池よりも軸長の短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、前記電極接片のうちの一方と前記第２の電池の一端との隙間を埋め、且つ導電性を有する接続部材を設け、この接続部材を介して前記第２の電池を前記一対の電極接片で挟持しつつ、前記第２の電池を前記保持突起部の間に保持して前記本体基部に固定することを特徴とする。なお、前記接続部材として弾性力を有する部材を使用することが好ましい。
【００１０】
また、本発明のレンズ付きフイルムユニットでは、  前記電源電池として、円柱型の第１の電池、及び円柱型で前記第１の電池よりも軸長の短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、前記第２の電池の一方の電極と当接し、且つ前記ストロボユニットと電気的に接続される電極接点部材と、前記保持突起部のうちの一方と前記電極接点部材との隙間を埋めるスペーサとを設け、前記スペーサと前記一方の電極との間に前記電極接点部材を挟持し、且つ他方の電極と前記電極接片の一方とを当接させつつ、前記第２の電池及び前記スペーサを前記保持突起部の間に保持して前記本体基部に固定することを特徴とする。
【００１１】
あるいは、本発明のレンズ付きフイルムユニットでは、前記電源電池として、円柱型の第１の電池、及び円柱型で前記第１の電池よりも軸長が短い第２の電池のいずれか一方を使用し、前記第１の電池を内蔵するときには、この第１の電池の両電極を前記一対の電極接片で挟持しつつ、前記第１の電池を前記保持突起部の間に保持して前記本体基部に固定し、前記第２の電池を内蔵するときには、第２の電池の一端側に設けられた負極と前記電極接片の一方とを当接させるとともに、第２の電池の他端から連続する円柱面に設けられた正極と前記電極接片の他方とを、前記第２の電池の表面に形成された被覆を剥がしながら溶接して前記第２の電池を前記電極接片に固着しつつ、前記第２の電池を前記保持突起部の間に保持して前記本体基部に固定することを特徴とする。
【発明を実施するための最良の形態】
【００１２】
図１は、レンズ付きフイルムユニットを示す外観斜視図であり、図２は、その分解斜視図である。本実施形態では、寸法の異なる２種類の電池に合わせた２種類のレンズ付きフイルムユニット１１，１２を組み立てることが可能である。以下では、説明の都合上、大型の電池を電源として使用する第１のレンズ付きフイルムユニット１１から先に説明する。
【００１３】
この第１のレンズ付きフイルムユニット１１は、各種撮影機構が組み込まれたユニット本体１５と、このユニット本体１５を部分的に覆う外装用のラベルシート１６とから構成されている。ユニット本体１５の前面には、撮影レンズ１７、対物側ファインダ窓１８、ストロボ発光部１９、ストロボ充電切替スイッチ２０等が設けられている。また、ユニット本体１５の上面には、レリーズボタン２１、残り撮影可能コマ数を表示するカウンタ窓２２、ストロボ充電表示用のライトガイド２３が形成されている。さらに、ユニット本体１５の背面側には、巻上げノブ２４、接眼側ファインダ窓などが露呈される。
【００１４】
図２に示すように、ユニット本体１５は、露光ユニット２６、ストロボユニット２７、カウンタ機構等が組み込まれる本体基部２９と，その本体基部２９の前後を覆うように取り付けられる前カバー３０、及び後カバー３１とから構成されている。前カバー３０には、撮影レンズ１７、対物側ファインダ窓１８、ストロボ発光部１９、ストロボ充電切替スイッチ２０等を露呈するための開口が形成されている。
【００１５】
本体基部２９には、左右にパトローネ室３２とフイルムロール室３３と、それらの間に位置するアパーチャ３４（図３参照）と、後述する保持突起部３５，３６とが一体成形されており、アパーチャ３４の前方に露光ユニット２６が設けられている。
【００１６】
保持突起部３５は、図３に示すように、パトローネ室３２とフイルムロール室３３との間で、且つアパーチャ３４の下部に位置し、前方に向かって突出している。また、保持突起部３６は、フイルムロール室３３に隣接する位置で且つアパーチャ３４の下部に位置している。
【００１７】
また、露光ユニット２６とフイルムロール室３３との間には、ストロボユニット２７が爪結合により取り付けられる。また、パトローネ室３２及びフイルムロール室３３には、フイルムカートリッジ３７と写真フイルム３８をロール状にしたフイルムロール３８ａとがそれぞれ装填される。このパトローネ室３２の上部には巻上げノブ２４が回動自在に配置され、その下部に一体に設けられた軸部材がパトローネ室３２に収納されたフイルムカートリッジ３７のスプール３７ａに係合される。この巻上げノブ２４を図中反時計方向に回動させることにより、撮影済の写真フイルム３８がフイルムカートリッジ３７内に巻き上げられる。
【００１８】
後カバー３１は、本体基部２９の背面を覆うように取り付けられ、本体基部２９との間に，フイルムロール室３３からアパーチャ３４の背後を通ってパトローネ室３２に至るまでのフイルム給送路を形成する。このフイルム給送路を通って写真フイルム３８がフイルムロール室３３からパトローネ室３２の内部に装填されたフイルムカートリッジ３７に収納される。また、後カバー３１には、その底部に底蓋３１ａ，３１ｂが形成されており、これらの底蓋３１ａ，３１ｂによってパトローネ室３２とフイルムロール室３３の底部が光密に閉じられる。そして、この後カバー３１が本体基部２９の背後を光密に塞ぐことによって、その内部に遮光空間３９（図４参照）が形成されている。
【００１９】
ストロボユニット２７は、詳しくは図３に示すように、回路基板４０にストロボ発光部１９、メインコンデンサ４１、シンクロスイッチ４２等を組み付けてユニット化したものである。さらに、回路基板４０には、詳しくは図示しないが、ストロボ発光部１９を発光させる発光回路、及びこの発光回路に給電するための給電回路が実装されている。また、この回路基板４０には、本体基部２９に形成された係合爪２９ａと係合する係合穴４０ａが形成されている。
【００２０】
このストロボユニット２７は、ストロボ充電切替スイッチ２０が上方に向けてスライド操作されると、回路基板４０の前面に設けられた金属接点４３がＯＮとなって給電回路がＯＮ状態となり、メインコンデンサ４１への充電が開始される。さらに、このストロボユニット２７は、シャッタ機構を作動させたときに回動するシャッタ羽根（図示せず）によりシンクロスイッチ４２が短絡して発光回路がＯＮ状態となり、ストロボ光を発光させるようになっている。
【００２１】
回路基板４０の一端には、正極接片４８と負極接片４９とが取り付けられている。この正極接片４８、及び負極接片４９は全体が金属板で折り曲げ形成され、回路基板４０に係合及びハンダ付けによって固定されており、第１の電池５０の正極端子５２及び負極端子５３に各々接触する。この正極接片４８及び負極接片４９に電池５０を装着すると、電池５０と給電回路とが電気的に接続される。
【００２２】
本実施形態において第１のレンズ付きフイルムユニット１１に使用される第１の電池５０は、従来の規格、例えば単３型の電池を使用している。正極接片４８及び負極接片４９の寸法は、図４に示すように、電池５０の寸法に合わせて形成されており、正極端子５２と接触する正極接片４８の接触部４８ａと、負極端子５３と接触する負極接片４９の接触部４９ａの間隔ＬD1は、電池５０の軸長Ｌ1 に合わせて形成されている。
【００２３】
レンズ付きフイルムユニット１１の内部における電池５０の周囲は、詳しくは図４に示すような構成となっている。すなわち、電池５０は、正極接片４８及び負極接片４９の弾性力によって両端から挟み込まれてストロボユニット２７とともに本体基部２９に固定される。さらに、保持突起部３５，３６は、正極接片４８及び負極接片４９とそれぞれ当接している。これによって、電池５０は、保持突起部３５，３６の間に保持されて、パトローネ室３２とフイルムロール室３３との間で、且つアパーチャ３４の下部の位置に固定される。
【００２４】
次に、上述した第１のレンズ付きフイルムユニット１１と部品を共用し、且つ電池５０よりも小型の電池を電源として使用する第２のレンズ付きフイルムユニット１２の構成について説明する。なお、第２のレンズ付きフイルムユニット１２で、第１のレンズ付きフイルムユニット１１と同部品、及び同部材を使用するものについては、同符号を用いて説明を省略する。
【００２５】
本発明に係る第２のレンズ付きフイルムユニット１２では、図５に示すように、上述した第１の電池に代えて、その軸長Ｌ2 が、第１の電池５０の軸長Ｌ1 よりも短い第２の第２の電池６６を使用する。この第２の電池６６として本実施形態では、単３型電池に対して軸長を短くした専用電池を使用する。
【００２６】
第２のレンズ付きフイルムユニット１２のユニット本体６２は、図６に示すように、本体基部２９に、露光ユニット２６と、カウンタ機構と、ストロボユニット２７等とともに、第２の電池６６、及び後述する接続部材７０が組み込まれ、さらに、この本体基部２９の前後を覆うように前カバー３０、及び後カバー３１が取り付けられて構成されている。
【００２７】
接続部材７０は、導電性を有する金属板からプレス成形などによって形成されている。ストロボユニット２７では、上述したように、正極接片４８の接触部４８ａと、負極接片４９の接触部４９ａの間隔ＬD1が、第１の電池５０の軸長Ｌ1 に合わせて形成されているので、第２の電池６６の正極端子６７、及び負極端子６８の一方を接触させると、他方との間に隙間が生じる。そこでこの接続部材７０では、第２の電池６６の負極端子６８を負極接片４９の接触部４９ａに当接させたとき、正極端子６７と正極接片４８の接触部４８ａとの間に生じる隙間に合わせた寸法に形成されている。また、この接続部材７０には、一方の端面中心部から凹んでいる凹部７０ａが形成されており、この凹部７０ａが、第２の電池６６の正極端子６７に嵌合する。
【００２８】
そして、第２の電池６６は、正極端子６７に接続部材７０の凹部７０ａが嵌合し、第２の電池６６と接続部材７０とが直列に接触した状態で、正極接片４８及び負極接片４９の間に挟持される。これにより、負極端子６８は負極接片４９に、正極端子６７は接続部材７０を介して正極接片４８に電気的に接続され、ストロボユニット２７の給電回路に給電可能となる。さらに、第２の電池６６は、ストロボユニット２７とともに、本体基部２９に固定される。これによって、第２の電池６６は保持突起片３５，３６の間に保持されて、パトローネ室３２とフイルムロール室３３との間で、且つアパーチャ３４の下部の位置に固定される。
【００２９】
なお、接続部材７０としては、弾性力を有する部材からなることが好ましい。これによって、接続部材７０が第２の電池６６とともに正極接片４８及び負極接片４９の間に挟持されるとき、正極接片４８及び正極端子６７に接続部材７０が強く圧接するので、第２の電池６６の保持及び電気的接続がより強固になる。
【００３０】
上記構成の作用について、以下に説明する。レンズ付きフイルムユニット１１が組み立てられるとき、本体基部２９には、露光ユニット２６、カウンタ機構などが組み込まれ、さらに、ストロボユニット２７とともに、第１の電池５０が本体基部２６に組み込まれて保持突起部３５，３６の間に電池５０が保持される。そして、前カバー３０、及び後カバー３１が取り付けられてユニット本体１５となり、このユニット本体１５の中央部を帯状に一周するようにしてラベルシート１６が巻かれて貼着され、第１のレンズ付きフイルムユニット１１が完成する。
【００３１】
一方、第２のレンズ付きフイルムユニット１２が組み立てられるときには、上述したように接続部材７０とともに第２の電池６６が正極接片４８及び負極接片４９に挟持されてストロボユニット２７に接続される。そして、本体基部２９に露光ユニット２６、カウンタ機構、ストロボユニット２７ともに第２の電池６６が組み込まれ、保持突起部３５，３６の間に第２の電池６６が保持される。そして、前カバー３０、及び後カバー３１が取り付けられてユニット本体６２となり、このユニット本体６２にラベルシート１６が巻かれて貼着され、第２のレンズ付きフイルムユニット１２が完成する。
【００３２】
このように、軸長の異なる電池５０，６６をそれぞれ収納するレンズ付きフイルムユニット１１，１２を、多くの部品を共用し、若干の部品の追加で組み立てることが可能であり、さらに、第１の電池を収納するときに対して若干の変更のみで第２の電池を収納することができるので、レンズ付きフイルムユニット１１，１２のローコスト化、及び製造工程の容易化を図ることができる。
【００３３】
なお、上記実施形態においては、第２の電池６６の正極端子６７と正極接片４８との隙間を埋める接続部材７０を使用して第２の電池６６を保持し、且つストロボユニット２７の給電回路と電気的に接続しているが、本発明は、これに限るものではなく、図７に示すように、リード線を介して回路基板４０に接続された正極接片（電極接点部材）７５、及びこの正極接片７５と保持突起部３５との隙間を埋めるスペーサ７６を使用することによって、上記実施形態と同様の効果を得ることができる。なお、図７においては、上記実施形態と同様の部品及び部材を用いるものについては同符号を付して説明を省略する。
【００３４】
図７に示すレンズ付きフイルムユニット７２のユニット本体７３は、本体基部２９に、露光ユニット２６と、カウンタ機構と、ストロボユニット７４等とともに、第２の第２の電池６６が組み込まれ、さらに、この本体基部２９の前後を覆うように前カバー３０、及び後カバー３１が取り付けられて構成されている。ストロボユニット７４は、回路基板４０の一端に、負極接片４９が取り付けられているとともに、リード線７７を介して正極接片７５が接続されている。すなわち、リード線７７の一端部は正極接片７５に、他端部は回路基板４０にそれぞれハンダ付けされている。また、正極接片７５はスペーサ７６に固着され、スペーサ７６は、保持突起部３５に固着される。これらの固着としては、接着又は溶着などにより行われる。このストロボユニット７４の正極接片７５及び負極接片４９は、第２の電池６６の正極端子６７及び負極端子６８に各々接触する。この正極接片７５及び負極接片４９に第２の電池６６を装着すると、第２の電池６６と給電回路とが電気的に接続される。
【００３５】
そして、本体基部２９にストロボユニット７４とともにスペーサ７６が組み込まれた後に、正極接片７５及び負極接片４９の間に第２の電池６６が挟み込まれて本体基部２９に固定される。すなわち、正極接片７５は、第２の電池６６の正極端子６７とスペーサ７６との間に挟持され、負極接片４９は、負極端子６８と当接する。これによって、第２の電池６６はスペーサ７６を介して保持突起部３５，３６の間に保持されて、パトローネ室３２とフイルムロール室３３との間で、且つアパーチャ３４の下部の位置に固定される。なお、電極接点部材としての正極接片７５は、正極端子６７と接触するのに十分な面積があればよく、上記実施形態で使用した正極接片４８の接点周辺部分だけを切り取って使用してもよい。また、回路基板４０と正極接片７５とは、リード線７７を介しての接続となっているが、これに限らず、正極接片４８よりも寸法の短い電極接片を形成して、回路基板４０と直接接続するようにしてもよい。
【００３６】
なお、回路基板４０と第２の電池６６との接続は、これまで説明したものに限るものではなく、図８に示すように、第２の電池６６と正極接片とを溶接によって固着、かつ電気的に接続するようにしてもよい。なお、図８においては、上記実施形態と同様の部品及び部材を用いるものについては同符号を付して説明を省略する。
【００３７】
図８に示すレンズ付きフイルムユニット８２のユニット本体８３は、本体基部２９に、露光ユニット２６と、カウンタ機構と、ストロボユニット８４等とともに、第２の第２の電池６６、及びスペーサ８５が組み込まれ、さらに、この本体基部２９の前後を覆うように前カバー３０、及び後カバー３１が取り付けられて構成されている。ストロボユニット８４は、回路基板４０の一端に、正極接片８６、及び負極接片４９が取り付けられている。第２の電池６６と、正極端子８６及び負極接片４９との接続では、第２の電池６６の負極端子６８と負極接片４９とが上記実施形態と同様に当接しているとともに、第２の電池６６の円柱面６６ａに正極接片８６の先端部が溶接される。符号８８は、その溶接部を示す。円柱面６６ａは、外装ラベルによって被覆されているが、溶接を施すことによって、その被覆が溶解して剥がされ、その被覆の内部の金属ケースと正極接片８６とが固着及び電気的に接続される。この正極接片８６と溶接される金属ケースは正極端子６７と一体に形成されており、正極端子６７と同様に正極として使用される。また、保持突起部３６には、スペーサ８５が固着される。この固着としては、接着又は溶着などにより行われる。また、スペーサ８５は、保持突起部３５と正極端子６７との隙間に合わせた寸法に形成されている。
【００３８】
そして、第２の電池６６は、負極接片４９と当接しつつ、正極端子８５と溶接され、ストロボユニット８４に固定される。そして本体基部２９にストロボユニット８４及びスペーサ８５とともに、第２の電池６６が固定される。すなわち、正極端子６７は、スペーサ８５と当接し、負極端子６８は負極接片４９と当接する。これによって、第２の電池６６はスペーサ８５を介して保持突起部３５，３６の間に保持されて、パトローネ室３２とフイルムロール室３３との間で、且つアパーチャ３４の下部の位置に固定される。なお正極接片８６としては、回路基板４０から第２の電池６６の円柱面に到達する長さであればよく、上記実施形態で使用した正極接片４８の根元部分のみを残すように切断して使用してもよい。
【図面の簡単な説明】
【００３９】
【図１】第１のレンズ付きフイルムユニットの外観斜視図である。
【図２】第１のレンズ付きフイルムユニットの分解斜視図である。
【図３】第１のレンズ付きフイルムユニットを構成するストロボユニット及び本体基部周辺の構成を示す斜視図である。
【図４】第１のレンズ付きフイルムユニットの要部断面図である。
【図５】第２のレンズ付きフイルムユニットを構成するストロボユニット及び本体基部周辺の構成を示す斜視図である。
【図６】第２のレンズ付きフイルムユニットの要部断面図である。
【図７】第２実施例のレンズ付きフイルムユニットの要部断面図である。
【図８】第３実施例のレンズ付きフイルムユニットの要部断面図である。
【符号の説明】
【００４０】
１１，１２，７２，８２  レンズ付きフイルムユニット
２７，７４，８４  ストロボユニット
２９  本体基部
３２  パトローネ室
３３  フイルムロール室
３４  アパーチャ
３５，３６  保持突起部
４０  回路基板
４８，７５，８６  正極接片
４９  負極接片
５０，６６  電池
【図１】
2005099385.tif 000003
【図２】
2005099385.tif 000004
【図３】
2005099385.tif 000005
【図４】
2005099385.tif 000006
【図５】
2005099385.tif 000007
【図６】
2005099385.tif 000008
【図７】
2005099385.tif 000009
【図８】
2005099385.tif 000010